(57)【特許請求の範囲】
【請求項１】
ゴルフ用の高さ調整ティーであって、上側がゴルフボール載置部として形成されているプラスチック製の下側部と、この下側部に接続された中間部と、この中間部に挿入された上側部と、を備え、前記中間部は、下端部の接続部が前記下側部に回転できるように接続されて揺動可能に構成され、前記上側部は、前記中間部にスライド可能に挿入され、所定の高さ位置に維持できるように構成されていて、前記中間部は、直立状態と、折れ曲がり状態と、傾斜状態とに変形可能であり、前記中間部には前記接続部の上側に押圧用の外向きフランジが形成されている、ことを特徴とするゴルフ用の高さ調整ティー。
【請求項２】
ゴルフ用の高さ調整ティーであって、上側がゴルフボール載置部として形成されているプラスチック製の下側部と、この下側部に接続された中間部と、この中間部に挿入された上側部と、を備え、前記中間部は、下端部の接続部が前記下側部に回転できるように接続されて揺動可能に構成され、前記上側部は、前記中間部にスライド可能に挿入され、所定の高さ位置に維持できるように構成されていて、前記中間部は、直立状態と、折れ曲がり状態と、傾斜状態とに変形可能であり、前記中間部は前記下側部の移動溝内を移動して揺動するように構成され、前記中間部の前記接続部には、前記移動溝の反対側に当接ストッパー突起が形成されている、ことを特徴とするゴルフ用の高さ調整ティー。
【請求項３】
ゴルフ用の高さ調整ティーであって、上側がゴルフボール載置部として形成されているプラスチック製の下側部と、この下側部に接続された中間部と、この中間部に挿入された上側部と、を備え、前記中間部は、下端部の接続部が前記下側部に回転できるように接続されて揺動可能に構成され、前記上側部は、前記中間部にスライド可能に挿入され、所定の高さ位置に維持できるように構成されていて、前記中間部は、直立状態と、折れ曲がり状態と、傾斜状態とに変形可能であり、前記中間部の前記接続部の下端は、前記中間部が前記下側部の移動溝内に沿って揺動して傾斜したときに、前記下側部の内壁面と接触するように形成されている、ことを特徴とするゴルフ用高さ調整ティー。
【発明の詳細な説明】
【技術分野】
【０００１】
この発明は3種類の成型品を組合せることで上側部と中間部と下側部とが連結された変形可能なゴルフティーに関する。
【背景技術】
【０００２】
ゴルフ用のティーはロングティーとショートティーに区分され(特許文献１参照)木製、樹脂製又はゴム製のものなどがある。ロングティーは、ティーの高さ調整が可能であるが高さ調整は地面への差し込み量を調整することにより行わなければならない。
【０００３】
すなわち、ロングティーはロングティーを持つ指先の力を加減しながら地面に適当な長さだけ差し込むことにより高さ調整を行うものである。
適度な高さや傾きを確保するのが難しい。
【先行技術文献】
【特許文献】
【０００４】
【特許文献１】実用新案登録第3103854号公報
【発明の概要】
【発明が解決しようとする課題】
【０００５】
本発明が解決しようとする問題点は通常は使用者が地面への差し込み量を調整して高さを適切な手加減で調整しなければならない点であり、また、取り扱い性やティーの安定性の向上も課題としている。
【課題を解決するための手段】
【０００６】
本発明はこれらの問題点を解決した変形可能なゴルフティーとして構成したものであり、例えば下側部を適当な長さだけ地面に差し込んだり、例えば下側部のストッパー段部が地面に当たるまで差し込んだりする。
そうするとゴルフボールは下側部の上端が上側部の上端に乗せることができるが、上側部の上端は、中間部を例えば10度から20度程傾斜させた状態又は中間部を直立させた状態の2通りの高さ位置とすることができるが、さらに、中間部を直立させた状態で上側部の高さをスライド調整することができる。ここでは下側部の地面への差し込み量は一定としておくことができる。
【０００７】
この目的を達成するためのゴルフ用の高さ調整ティーは例えば、上側がゴルフボール載置部として形成されているプラスチック製の下側部と、この下側部に接続された中間部と、この中間部に挿入された上側部と、を備え、前記中間部は、下端部の接続部が前記下側部に回転できるように接続されて揺動可能に構成され、前記上側部は、前記中間部にスライド可能に挿入され、所定の高さ位置に維持できるように構成されていて、前記中間部は、直立状態と折れ曲がり状態と、傾斜状態とに変形可能である。上側部の下側には上方に向かって広がるように一対のストッパー片が設けられ、前記中間部には、この一対のストッパー片の先端が入り込み抜け止め係合する一対のストッパー孔が形成されているものとすることができる。上側部は、前記ストッパー片が前記ストッパー孔の上端と係合するまで上方にスライドできるものとすることができる。中間部は前記下側部の移動溝内を移動して揺動するように構成され、前記移動溝は前記中間部を傾斜状態に維持できるように形成されているものとすることができる。
【０００８】
中間部には接続部の上側に押圧用の外向きのフランジを形成できる。また、中間部を下側部の移動溝内を移動して揺動するように構成しておき中間部の接続部には移動溝の反対側に当接ストッパー突起を形成しておくことができる。さらに、中間部の接続部の下端を、中間部が下側部の移動溝内に沿って揺動して傾斜したとき、下側部の内壁面と接触するように形成しておくことができる。
【発明の効果】
【０００９】
本発明は3種類のプラスチック製品による成型品であり上側部と中間部と下側部を組合わせる事で変形可能な、ゴルフティーとなり柔軟な素材樹脂を使用のため地面に差し込んだ部分からダブっても折れにくく環境にやさしく怪我などの防止に安全に使用できる効果利点がある、この1本でロングティー、ショートティーの両方の役割を果たすゴルフティーであり又上側部と中間部と組合わせた一対部を10度から20度程の傾斜角で打つ方向に調整することによりゴルフボールの距離を延ばすこともできる。上側部と中間部をスライドすることによって高さを調整してゴルファーの身長に合わせてティーの高さなど好みに調整できて上側部、中間部、下側部とを備えた、多種多様に構成されているゴルフ用の高さ調整ティーとしている。押圧用の外向きフランジを指で押して高さ調整ティーを容易に地面に差し込むことができる。中間部の接続部の当接ストッパー突起には中間部が移動溝内の反対側に倒れることを防止できる。中間部の接続部の下端が下側部の内壁面の接触するように形成されていれば中間部の接続部が下側部から外れることを防止できる。
【図面の簡単な説明】
【００１０】
【図１】本発明のゴルフ用の高さ調整ティーの上側部を一部断面で示す図である。
【図２】本発明のゴルフ用の高さ調整ティーの中間部の断面図である。
【図３】本発明のゴルフ用高さ調整ティーの下側部の断面図である。
【図４】本発明の上側部と中間部と下側部の組立図である。
【図５】本発明の最上高さの組立図である。
【図６】本発明のショートティーとなる組立図である。
【図７】本発明の傾斜20度程曲げた組立図である。
【図８】本発明の傾斜20度程曲げた最上高さの組立図である。
【発明を実施するための形態】
【００１１】
本発明に係るゴルフ用の高さ調整ティーは折れにくい素材を使用して長持するように形成された3種類の製品を組合せて構成されている。3種類の製品のうち上側部を図1を参照して説明し、中間部を図2を参照して説明し下側部を図3を参照して説明する。
【００１２】
本発明に係る、ゴルフ用の高さ調整ティーは図4に示すように射出成型品である。中間部３に射出成型品である上側部４を挿入し中間部３を下側部２に連結することにより構成されている。
上側部４は図１に示すように上側の大径のゴルフボール載置部５と中間部３への挿入部８の下側に一体的に形成された調整部１１とこの調整部１１に形成されたストッパー部１２とから一対的に樹脂によって形成されている。挿入部８は例えば10センチ以上の長さを有する。ゴルフボール載置部は約2度の勾配がついている。
【００１３】
ゴルフボール載置部５にはゴルフボールを置くための載置孔１０が形成されていてこの載置孔１０から下側に延びるように挿入部８がもうけられて形成されている。挿入部８  の下側のストッパー部１２は左右一対形成されている。なお、符号９は挿入部８の外周に一体的に形成された保持用の縦リブである。
【００１４】
中間部３は図2を示すように受入部６とこの受入部６の下側の下側部２２とを樹脂製で一体的に有し、受入部６は上面から挿入孔１３を有している。挿入孔１３には径方向対称位置に高さ方向に延びる一対の窓１５が形成されている。
【００１５】
上側部４は中間部３に差し込まれて接続されている。上側部４の挿入部８が中間部３の挿入孔１３に差し込まれ、上側部４のストッパー部１２は中間部３の挿入孔１３の窓１５に入り込む。ストッパー部１２は挿入孔１３の上側をスライド移動するときは狭められているが窓１５内に入ると広がり、窓１５内を移動できるが、窓１５から抜け出ることはできない。
【００１６】
上側部４は中間部３に挿入されることで、上側部の下端部が中間部３の挿入孔１３の底と当接する位置から、ストッパー部１２が中間部３の窓１５の上端と系合するまで上下にスライドすることができる。そして、上側部４の縦リブ９により上側部４は適当なスライド位置すなわち高さ位置で中間部３に保持される。
【００１７】
下側部２は、上端のゴルフボール載置部１９と上部開口溝を有しこの上部開口から一対の通過溝２１が下側に延びるように形成されていて、この通過溝２１の下端に支持孔２３を有している。中間部３の下端部には一対の支持シャフト１７、１７、が形成されていて、この支持シャフト１７、１７が通過溝２１を通過して支持孔１８に嵌り込むように中間部３を下側部２に差し込む。下側部の支持孔２３、２３の間には移動用溝２０が形成され、この移動用溝２０内を中間部３の下側部２２が移動することにより中間部３を傾斜させることができる。移動用溝２０は幅が狭く形成されていて、中間部３はこの移動用溝２０に支持されて任意の角度に保持される。下側部２は、差し込み部２４を段部２５が地面に当接させるまで中間部3の差込む押えツバ部26でおして地面に差し込む。
【００１８】
中間部3は上側部4が中間部3の受入部6に挿入され上側部4と中間部3が一体となり、支持シャフト17は下側部2のゴルフボール載置部19に挿入されて通過溝21の下側に移動して支持孔18に嵌り、上側部4と中間部3と下側部2が直立の状態を保つ様になる。中間部3が後方部にたおれないように突起部27が下側部2の後面に当たり直立状態に保持される。又打つ方向に上側部4、中間部13を一体的に90度ほど曲げた時に支持孔18から支持シャフト17が抜けないように下端の突起28が下側部2の内面に当って押えることで抜け止め防止となる。
【産業上の利用可能性】
【００１９】
本発明によって他に類のないゴルフティーであって例えば１本のこのティーでロングティー、ショートティー、又１０度から２０度程を打つ方向に曲げると傾斜角のロングティーとして可能であり、挿入部を９０度ほど曲げることでショートティーと使用できる多種多様に使用可能でありまた輸出産業としても期待できるものと考えられる。
【符号の説明】
【００２０】
１  ゴルフ用の高さ調整ティー
２  下側部
３  中側部
４  上側部
５  ゴルフボール載置部
６  上側部４の挿入孔
８  上下に引くスライド調整部
９  高さ調整保持リブ部
１０  ゴルフボール置くための載置孔部
１１  中間部に入ると１２がちぢまる溝部
１２  抜け止め防止の突起部
１３  上側９が挿入する中間部の高さ調整部
１４  上側１２の抜け止め孔
１５  高さ調整用の長円形窓部
１６  上側部と一対した直立状態部
１７  中間部の一対シャフト部
１８  中間部のシャフト挿入穴部
１９  下側部のショートティーとなるゴルフボール載置部
２０  上側、中間部一対の移動溝部
２１  上側、中間部一対１７の挿入部
２２  上側、中間部一対の傾き調整部
２３  上側、中間部一対１７の支持孔
２４  地面に差し込部
２５  地面に当接部
２６  下側部２４を地面に差込む押えツバ部
２７  上側部と中間部一体が下側部に挿入一体のたおれ防止突起部
２８  下側部１８に中間部の１７が挿入後抜け防止の突起部
【図１】
0006583626.tif 000002
【図２】
0006583626.tif 000003
【図３】
0006583626.tif 000004
【図４】
0006583626.tif 000005
【図５】
0006583626.tif 000006
【図６】
0006583626.tif 000007
【図７】
0006583626.tif 000008
【図８】
0006583626.tif 000009